(57)【要約】  掘削機のバケット（１０）に取り付けるための歯保持装置（１６）であって、歯装着部（２０）と、バケット（１０）の縁部（１２）に嵌合するフォーク型の本体（２２、２４）と、本体（２２、２４）およびバケット（１０）を通過するクランプ（３２）と、クランプ（３２）を所定の位置に保持する楔（３８）とを有し、楔は、ねじ棒（４６）および（７２）と、ねじ棒（６８）にねじ止めされるブロック（５０）とを有する。このねじ棒（６８）は、ブロック（５０）を係止位置と解除位置との間で移動させるように回転可能である。【選択図】図２
2013506065.tif 000002
【特許請求の範囲】
【請求項１】
掘削機のバケット（１０）に取り付けるための歯保持装置（１６）であって、
歯装着部（２０）と、
前記掘削機のバケット（１０）の縁部（１２）に嵌合して、前記歯装着部（２０）の一部を形成するフォーク型の本体（１８、２２、２４）と、
前記本体（２２、２４）および前記バケット（１０）を通過するクランプ（３２）と、
前記クランプを所定の位置に保持する楔（３８）とを含むことを特徴とする、歯保持装置。
【請求項２】
ねじ棒（４６）と、前記ねじ棒にねじ止めされる楔ブロック（５０）とを含み、前記ねじ棒（４６）は、前記ブロックを前記ねじ棒（４６）に沿って係止位置と解除位置との間で移動させるように回転可能であることをさらなる特徴とする、請求項１に記載の歯保持装置（１６）。
【請求項３】
前記フォーク型の本体（２２、２４）のクランプ受け開口（２８）と、前記バケット（１０）の前記縁部（１２）のクランプ開口（２６）とを含むことをさらなる特徴とする、請求項２に記載の歯保持装置（１６）。
【請求項４】
前記楔（３８）は、幅の広い端部から幅の狭い端部に略先細り形状を有することをさらなる特徴とする、請求項３に記載の歯保持装置（１６）。
【請求項５】
前記クランプ（３２）は、楔ブロック受け凹部（３６）を有し、前記ブロック（５０）は、係止位置と解除位置との間で前記凹部（３６）に沿って動作可能であることをさらなる特徴とする請求項４に記載の歯保持装置（１６）。
【請求項６】
前記楔（３８）は、前記ねじ棒（４６）を受けるチャネル（４２）と、前記チャネルに形成される半環状のリッジ部（４４）と、前記リッジ部（４４）を受ける前記ねじ棒（４６）の環状溝（４８）とを有することをさらなる特徴とする、請求項４に記載の歯保持装置（１６）。
【請求項７】
前記ブロック（５０）は、複数のブロックラック歯（７６）を有するように形成され、前記楔クランプは、複数のクランプラック歯（７８）を有するように形成され、前記ブロックラック歯（７６）および前記クランプラック歯（７８）は、ねじ棒（６８）の動作時に互いに係合可能であることをさらなる特徴とする、請求項３に記載の歯保持装置（１６）。
【請求項８】
前記ねじ棒（６８）は、一方の端で頭部（７０）を有するように形成され、前記歯保持装置が、前記頭部（７０）と摩擦により嵌合するように適合された弾性キャップ（８０）を含み、これにより、不注意によって回転しても前記頭部を同じ状態に保持することをさらなる特徴とする、請求項７に記載の歯保持装置（１６）。
【請求項９】
前記クランプに形成される略半環状の凹部（６６）と、前記ねじ棒（６８）に形成され、前記半環状の凹部に受けられる半円形リング（７２）とを含む、請求項８に記載の歯保持装置（１６）。
【請求項１０】
上下の分散締付面（３０）を有するように形成される前記フォーク型の本体（２２、２４）と、前記クランプ（３２）は、互いに分岐する上下の締付面（３４）を有するように形成され、前記フォーク型の本体（２２、２４）の前記締付面（３０）と互いに嵌合するように適合されることをさらなる特徴とする、請求項１に記載の歯保持装置（１６）。
【請求項１１】
掘削機のバケット（１０）と、前記フォーク型の本体（２２、２４）に嵌合する前記バケットの縁部（１２）と、前記縁部を通過して形成されるクランプ凹部（２６）とを含み、前記楔（３８）は、一方の側で前記縁部（１２）に係合するように適合され、他方の側で前記クランプ部（３２）に係合するように適合され、これにより、前記縁部から前記クランプを離すことをさらなる特徴とする、請求項１０に記載の歯保持装置（１６）。
【発明の詳細な説明】
【技術分野】
【０００１】
本発明は、歯を有するバケット掘削機またはショベル掘削機に関し、具体的には、このような掘削機のショベルまたはバケットに歯を保持するための、ハンマーを使用せずに固定したり解除したりすることができる保持装置に関する。
【背景技術】
【０００２】
掘削機は通常、バケットまたはショベルを有し、歯がバケットの前縁部に取り付けられており、建材を貫通させる補助となる。歯は激しい摩耗を受ける。歯は、頻繁に訪れる補修時期ごとに取り替えられる。
【０００３】
バケットの前縁部に取り付けられた歯保持装置が提供される。これらの歯保持装置は、個々の歯を固定する機構を有する。歯保持装置は、必要に応じて歯を解除したり交換したりすることを可能にする。
【０００４】
歯保持装置も激しい摩耗を受ける。歯保持装置は、バケットの前縁部に解除可能に固定される。また、歯保持装置は、必要に応じて取り外して取り替える必要がある。
【０００５】
本発明は、このような歯保持装置と、ハンマーを使用せずに歯保持装置を取り付けしたり解除したりするシステムを対象とする。
【発明の概要】
【発明が解決しようとする課題】
【０００６】
本発明は、掘削機のバケットに取り付けるための歯保持装置を提供することを目標とし、歯保持装置は、歯装着部と、バケット縁部に嵌合するフォーク型の本体と、本体およびバケットを通過するクランプと、所定の位置にクランプを保持する楔とを有し、楔は、ねじ棒と、ねじ棒に接する楔ブロックとを有する。ねじ棒は、係止位置と解除位置との間でブロックを移動させるように回転可能である。
【０００７】
楔は、幅の広い端部から幅の狭い端部に略先細りしており、クランプは先細りした楔を受けるように傾斜した楔係合面を有することが好ましい。
【０００８】
バケットの唇部は、クランプが通過できる開口を有するように形成され、楔を受けるための楔係合面を有することが好ましい。バケットの唇部は圧力分散面有するようにも形成され、クランプは分散締付面を有するように形成され、それぞれの面は楔が挿入された場合に互いに係合可能であることが好ましい。
【０００９】
クランプが楔を受ける凹部を有し、楔は凹部からクランプと唇部との間に挿入することができ、楔のブロックを締め付けると唇部とクランプとが離されることから、クランプを唇部と係合させることが好ましい。
【００１０】
ねじ棒の先端に適合することができる弾力性キャップがあり、ねじ棒はキャップを受ける頭部を有し、これにより、ねじ棒の頭部を損傷から保護することが好ましい。
【００１１】
ねじ棒は環状の衿部を有し、楔は半環状の凹部を有し、衿部が凹部内に嵌合し、ねじ棒が回転することを可能にすることが好ましい。
【００１２】
本発明の好適な実施形態では、楔は楔ラック部を備える楔ブロックを有する。クランプはクランプラック部を有し、これらの２つのラック部は互いに堅固に係合可能である。楔ブロックはねじ穴を有し、このねじ穴からねじ棒を接続することによってブロックを締め付けることができる。
【００１３】
本発明を特徴付けるさまざまな新規の特徴は、本開示の一部を構成する本願の特許請求の範囲に具体的に示している。本発明およびその操作上の利点、その使用により達成される特定の目的をさらに良く理解するために、本発明の好適な実施形態を例示して記載する添付の図面および説明事項を参照する必要がある。
【図面の簡単な説明】
【００１４】
【図１】掘削機のバケットの概略等角図である。
【図２】歯保持装置の等角分解図である。
【図３】第１の位置の楔ブロックを示す断面図である。
【図４】第２の位置の楔ブロックのさらなる実施形態を示す断面図である。
【図５】楔、楔ブロックおよびキャップの斜視図である。
【図６】プラスチックキャップの部分的に切り取った上面図である。
【発明を実施するための形態】
【００１５】
図１には、掘削機のバケット（１０）に関して本発明を示している。バケットは、説明を必要としない掘削機装置（図示せず）のさまざまな部品のいずれかに装着される。
【００１６】
バケットは、複数の歯部材（１４）を備える下側の前唇部または前縁部（１２）を有する。
【００１７】
各歯は、個々の歯保持装置（１６）で保持される。
【００１８】
歯保持装置は、唇部（１２）に間隔を空けて固定される。
【００１９】
各歯は、当技術分野において周知であり、説明を必要としない手段により保有装置に取り付けたり保持装置から取り外したりすることができる。
【００２０】
歯保持装置（１６）は、必要な場合に解除可能かつ取替可能である。従来では、この目的のために使用した取付システムは、簡易な金属製の楔部品を使用することを必要とし、この部品は歯保持装置の隙間にハンマーで打ち込まれた。取り外しには、楔部品を逆方向にハンマーで打って解除することを必要とする。
【００２１】
これは、面倒かつ困難である。
【００２２】
本発明は、バケットに歯保持装置を固定するために改良した取付部品を有し、さらに迅速的かつ効率的な方法で解除することを可能にする歯保持装置に関する。
【００２３】
歯保持装置の第１の実施形態は、図２および図３にさらに詳細に示す。この実施形態の歯保持装置（１６）は、一体形成した前方に延伸する歯装着部（２０）を有する本体（１８）を含む。この支持部は周知の方法で歯（１４）に嵌合し、歯は周知の方法で固定される。
【００２４】
本体（１８）から後方に延伸するように、上部アーム（２２）および下部アーム（２４）があり、フォーク型を形成する。アームは、バケット（１０）の唇部（１２）を囲む。
【００２５】
唇部または縁部（１２）は、クランプ開口（２６）および傾斜した分散圧力面（３０）を有するように形成される。
【００２６】
アーム（２２）および（２４）は、クランプ受け開口（２８）をそれぞれ有するように形成される。Ｃ型クランプ（３２）は、アーム（２２）および（２４）のクランプ受け開口（２８）および縁部（１２）のクランプ開口（２６）を通して嵌合するように形成され、適合される。Ｃ型クランプの上下の縁部（３４）は、先細りした楔が唇部（１２）の傾斜面（３０）に対して嵌合するような角度で形成される。
【００２７】
所定の位置にＣ型クランプ（３２）を保持するために、Ｃ型クランプ（３２）は矩形の凹部（３６）を有するように形成される。
【００２８】
各保有装置は、解除可能な楔部材（３８）を備える。
【００２９】
楔部材（３８）は、幅の広い上端部から幅の狭い下端部に先細りし、上端部に半環状のリッジ部（４４）を備える略Ｕ字型のチャネル（４２）を有する一体型の楔本体（４０）から成る。
【００３０】
チャネル（４２）内には、リッジ部（４４）を受けるための環状溝（４８）を有するねじ棒（４６）がある。
【００３１】
雌ねじ山を有する楔ブロック（５０）はねじ棒（４６）と嵌合する。ブロック（５０）の一部はチャネル（４２）から外側に延伸する。ねじ棒（４６）が回転すると、ブロック（５０）がチャネル（４２）の上下に駆動する。
【００３２】
溝（４８）がリッジ部（４４）に係合すると、ねじ棒（４６）が所定の位置に保持されるが、以下に記載する目的のために回転することを可能にする。
【００３３】
動作時には、アーム（２２）および（２４）は、バケットの唇部または縁部（１２）の周囲を褶動して、クランプ開口（２６）をクランプスロット（２８）に一致させる。
【００３４】
次にＣ型クランプ（３２）は、クランプスロット（２８）およびクランプ開口（２６）を通って褶動し、上下の傾斜面（３４）が傾斜面（３０）と嵌合する。
【００３５】
次に、楔部材（３８）は、クランプスロット（２８）およびクランプ開口（２６）の中へと褶動する。
【００３６】
この段階では、楔ブロック（５０）は、ねじ棒（４６）の最低位置に螺入される。適切な工具（アーレンキーなど）が頭部（５２）に係合し、次にねじ棒（４６）を回転させるために使用される。
【００３７】
この回転は、チャネル（４２）内でブロック（５０）を上向きに移動させる。
【００３８】
ブロック（５０）は、矩形の空間（３６）内でＣ型クランプ（３２）に接触する。
【００３９】
ねじ棒（４６）を締め付けると、ブロック（５０）はＣ型クランプ（３２）と唇部（１２）との間で締め付けられて、Ｃ型クランプ（３２）を所定の位置に堅固に固定する。
【００４０】
保持装置（１０）の取り外しは、ねじ棒（４６）を反転させ、Ｃ型クランプ（３２）からブロック（５０）を解除することによって逆の方法で進められる。
【００４１】
本発明の更なる実施形態を図４、図５および図６に示す。
【００４２】
これらの図では、基本構成要素、すなわち歯保持装置（１６）およびＣ型クランプ（３２）は保持される。ただし、この実施形態では、楔部材を（６０）で示す。楔部材（６０）は、幅の広い上端部から幅の狭い下端部に先細りした楔本体（６２）を有する。楔本体（６２）は、略Ｕ字型のチャネル（６４）を有する。
【００４３】
チャネル（６４）の上端には衿部を形成する半環状のリッジ部（６６）がある。チャネル（６４）内にはねじ棒（６８）がある。ねじ棒（６８）は、頭部（３０）を有し、リッジ部（６６）を受けるために、頭部周囲に環状溝（７２）が形成される。
【００４４】
ブロックナット（７４）は、ねじ棒（６８）にねじ止め可能に受けられる。ブロックナット（７４）は、このナット（７４）の軸に垂直に延伸するリッジ状のラック部（７６）を有する。
【００４５】
この実施形態におけるＣ型クランプ（３２）は多少改変されている。Ｃ型クランプは、このクランプに形成され、上下方向に延伸する略矩形のブロック（５０）に位置し、ブロックナット（７４）のラック部（７６）を受けるクランプラック部（７８）を有する。
【００４６】
動作時には、本実施形態では、ねじ棒がまず回転し、ブロックナットをねじ棒の最下点まで押し下げるように駆動する。次に、楔部材は、上に示した実施形態の従来と同じ方法で挿入され、ショベルの唇部に対して配置される。ブロックナット（７４）に接するねじ式ラック部（７６）は、Ｃ型クランプ（３２）のクランプラック部（７８）の最下部のリッジに係合することになる。ねじ棒（６８）は、アーレンキー（図示せず）などの好適な工具によって回転する。これにより、ブロックナット（７４）は、ねじ棒（６８）を上方向に進ませる。しかし、ブロックナット（７４）のラック部（７６）は、Ｃ型クランプ（３２）のラック部（７８）に係合しているため、ブロックナット（７４）は上向きに動くことができない。その結果、ねじ棒がこのように回転すると、楔部材（６０）全体を下向きに動かし、これにより、唇部（１２）の表面に楔部材を押し付けると同時に、Ｃ型クランプ（３２）をショベル自体の唇部に対して後方に離す。このような方法で、保持装置は所定の位置に堅固に保持される。
【００４７】
安全のために、典型的には弾性合成プラスチック材などにより形成されるキャップ（８０）は、ナット（７４）の先端に嵌合するように押し付けられ、これにより、ナットが回転しないようにする。それと同時に、キャップは、ナットの頭部の重要な表面を損傷し、取り外すことを困難にする可能性がある異物が侵入しないようにする。このようなキャップは、図２の実施形態にも使用される。
【００４８】
キャップ（８０）は、ねじ棒の頭部の溝と互いに係合するように形成される内部リッジ部を有する。これは、ねじを緩ませるあらゆる傾向に対して耐性を発揮することになる。
【００４９】
上記の記載は、本発明の好適な実施例の記載であり、例示としてのみ本願明細書に示す。本発明は、記載する特定の特徴に限定すると解釈すべきではなく、本願の特許請求の範囲内に含まれるすべての変更を含むと理解する必要がある。
【符号の説明】
【００５０】
１０  バケット
１２  前縁部
１４  歯部材
１６  歯保持装置
１８  本体
２０  歯装着部
２２  上部アーム
２４  下部アーム
２６  クランプ開口
２８  クランプ受け開口
３０  分散締付面
３２  Ｃ型クランプ
３４  締付面
３６  凹部
３８、６０  楔部材
４０、６２  楔本体
４２、６４  チャネル
４４、６６  リッジ部
４６、６８  ねじ棒
４８、７２  環状溝
５０  ブロック
５２、７０  頭部
７４  ブロックナット
７６  ラック部
７８  クランプラック部
８０  キャップ
【図１】
2013506065.tif 000003
【図２】
2013506065.tif 000004
【図３】
2013506065.tif 000005
【図４】
2013506065.tif 000006
【図５】
2013506065.tif 000007
【図６】
2013506065.tif 000008
【国際調査報告】
2013506065.tif 000009
2013506065.tif 000010
2013506065.tif 000011
2013506065.tif 000012